(57)【特許請求の範囲】
【請求項１】
装着者の自毛を利用して、かつらを頭部に装着するためのかつら止着部材であって、
独立したフィルム又はシート状の部材で構成された基部と接着部とを備え、前記基部の表面に前記接着部の裏面が接着されることにより一体のかつら止着部材を成し、
前記基部は、かつらベースの裏面外周のうち、少なくとも両側部から後部に亘る範囲の全部又は一部に対応する形状を有し、前記範囲内に取り付け可能となっており、
前記接着部は、前記基部の表面上に接着されたときに、前記基部から突出する一側部分を有し、当該一側部分には、装着者の自毛の束を通過させることが可能な自毛引出部が形成され、
前記装着者の自毛の束を前記自毛引出部から引き出した状態で、前記接着部の一側部分を他側の方向に折り曲げて、前記接着部の同一面の間に前記自毛を挟み込んで接着することを特徴とするかつら止着部材。
【請求項２】
装着者の自毛を利用して、かつらを頭部に装着するためのかつら止着部材であって、
連続するフィルム又はシート状の部材で構成された基部と接着部とが一体のかつら止着部材を成し、
前記基部は、かつらベースの裏面外周のうち、少なくとも両側部から後部に亘る範囲の全部又は一部に対応する形状を有し、前記範囲内に取り付け可能となっており、
前記接着部は、前記基部から突出し、装着者の自毛の束を通過させることが可能な自毛引出部が形成され、
前記装着者の自毛の束を前記自毛引出部から引き出した状態で、前記接着部を前記基部の方向に折り曲げて、前記接着部と前記基部との連続する同一面の間に前記自毛を挟み込んで接着することを特徴とするかつら止着部材。
【請求項３】
前記基部と前記接着部とを構成する面のうち、少なくとも前記接着に供される面を粗面にした請求項１又は２に記載のかつら止着部材。
【請求項４】
前記自毛引出部が、一又は複数のスリットからなる請求項１〜３のいずれか１項に記載のかつら止着部材。
【請求項５】
前記スリットの形状が、直線状又は非直線状である請求項４に記載のかつら止着部材。
【請求項６】
前記自毛引出部が、前記スリットの両端に円孔を連成した構成である請求項４又は５に記載のかつら止着部材。
【請求項７】
請求項１〜６のいずれか１項に記載のかつら止着部材を備えたかつらであって、
かつらベースの裏面外周のうち、少なくとも両側部から後部に亘る範囲の全部又は一部に、前記基部を取り付けたことを特徴とするかつら。
【請求項８】
請求項１〜６のいずれか１項に記載のかつら止着部材を用いたかつらの修繕方法であって、
かつらベースの裏面には、請求項１〜６のいずれか１項に記載のかつら止着部材ではない他のかつら止着部材が設けられており、当該他のかつら止着部材を前記かつらベースの裏面から除去する工程と、
前記かつらベースの裏面外周のうち、少なくとも両側部から後部に亘る範囲の全部又は一部に、請求項１〜６のいずれか１項に記載のかつら止着部材の前記基部を取り付ける工程と、
を含むことを特徴とするかつらの修繕方法。
【請求項９】
請求項７に記載のかつら、又は請求項８に記載のかつらの修繕方法によって修繕したかつらの装着方法であって、
前記かつらを装着者の頭部に載置する工程と、
前記かつらベースの外周部分を捲り、前記装着者の自毛の束を前記自毛引出部から引き出す工程と、
前記接着部の一側部分を他側の方向に折り曲げて、前記接着部の同一面の間に前記自毛を挟み込んで接着する工程、又は前記接着部を前記基部の方向に折り曲げて、前記接着部と前記基部との連続する同一面の間に前記自毛を挟み込んで接着する工程と、
を含むことを特徴とするかつらの装着方法。
【発明の詳細な説明】
【技術分野】
【０００１】
装着者の自毛を利用して、かつらを頭部に装着するためのかつら止着部材、かつら止着部材を備えたかつら、かつら止着部材を用いたかつらの修繕方法、及びかつら止着部材を備えたかつらの装着方法に関する。
【背景技術】
【０００２】
一般的なかつらは、長期装着型と短期装着型とに大きく分類される。このうち長期装着型のかつらは、装着者の自毛を利用して頭部に止着する自毛固定方式と、かつらベースの裏面に接着剤を塗布して装着者の頭皮に接着するベース接着方式とに分類される。一方、短期装着型のかつらは、かつらベースに設けた反転式のストッパー（ヘアピン）で装着者の自毛に固定するストッパー方式と、かつらベースに設けた両面テープで装着者の頭皮に接着する両面テープ方式とに分類される。
【０００３】
長期装着型のかつらは、非常に強固な固定が可能であり、日常生活でかつらが脱落してしまう心配が少なく、例えば、装着したままで激しい運動をしたり、水泳をしたりすることができる。一方、短期装着型のかつらは、長期装着型と比較して固定の強度が低く、長時間装着した場合にかつらがずれたり、脱落したりする可能性がある。その反面、短期装着型のかつらは、装着者自身で簡単に着脱することができるというメリットがある。
【０００４】
上述した自毛固定方式のかつらとしては、例えば、特許文献１〜８に記載されたようなものがある。しかし、特許文献１〜８のかつらは、いずれも止着部材をかつらベースの周縁部などに直接、接着固定した構成となっており、かつらを装着する場合は、装着者の自毛を止着部材に接着剤で固定していた。そして、かつらを取り外す場合は、有機溶剤系又は水系の除去剤を用いて接着剤を溶かし、あるいは固化した接着剤をペンチで粉砕して、自毛の固定を解除していた。
【０００５】
このため、上述した特許文献１〜８のかつらでは、かつらを何度も繰り返し着脱すると、止着部材が汚損ないし破損してしまい、止着部材を交換する度に、かつらベースの周縁部に物理的又は化学的なダメージを与えてしまうという問題があった。そして、かつらベースの周縁部が破損してしまった場合は、かつら本体が未だ美品であっても、もはやそのかつらを使用することはできない。
【０００６】
そこで、特許文献１〜８のかつらの問題点を解決すべく、本出願人は、特許文献９に記載されているようなかつらを提案した。特許文献９のかつらの構成は、その図１、図２、図１４及び図１５に示したとおりである。
【０００７】
特許文献９の図１、図２、図１４及び図１５において、特許文献９のかつら１、２は、かつらベース１０の裏面外周に沿って固定されたフィルム、シート、紐又は糸状の部材からなる取付基部１３、１４、１５と、フィルム又はシート状の部材であって、装着者の自毛を通すためのスリット２４を有する止着部材２０と、を備えた構成となっている。取付基部１３、１４、１５は、間隔をおいた二つ以上の固定箇所１３ａ、１４ａ、１５ａを有する。取付基部１３、１４、１５は、二つの固定箇所１３ａと１３ａ、１４ａと１４ａ、１５ａと１５ａの間隔が、かつらベース１０の裏面に対して非固定部になっている。非固定部の幅（前記間隔）は、止着部材２０を挿通することが可能な寸法となっている。
【０００８】
かつら１、２を装着者の頭部に装着する場合は、止着部材２０を取付基部１３、１４、１５の非固定部に挿通し、スリット２４に装着者の自毛を通した後、止着部材２０の一端側と他端側との間に自毛を挟んだ状態で、止着部材２０の一端側と他端側と接着する。一方、かつら１、２を装着者の頭部から取り外す場合は、止着部材２０を鋏で切断するか、又は止着部材２０の接着剤を除去剤で溶かせばよい。このような特許文献９のかつら１、２によれば、止着部材２０とかつらベース１０とを非接着としているので、止着部材２０を頻繁に交換してもかつらベース１０は傷まない。
【先行技術文献】
【特許文献】
【０００９】
【特許文献１】特開平１１−３６１２４号公報
【特許文献２】特開平１０−３１７２２０号公報
【特許文献３】国際公開第９９／０４８３９４号
【特許文献４】特開平１１−３６１２３号公報
【特許文献５】特開平１１−８１０２１号公報
【特許文献６】特開平２００５−６０８９７号公報
【特許文献７】国際公開第２００８／１４９６９７号
【特許文献８】特表２００９−５４１６０５号公報
【特許文献９】特開２０１３−１５１７７２号公報
【発明の概要】
【発明が解決しようとする課題】
【００１０】
上述のように、本出願人が提案した特許文献９のかつらの止着構造は、従来の特許文献１〜８の止着構造と比較して、止着部材を頻繁に交換してもかつらベースが傷まないという顕著な作用効果を奏する。当然であるが、新規な止着構造の作用効果の恩恵は、この止着構造を備えた新規なかつらを購入したユーザのみが受けられる。
【００１１】
しかし、本発明者は、特許文献１〜８のような従来の止着構造を備えたかつらのユーザには、特許文献９のような新規な止着構造に付け替えたいというニーズが潜在すると考えた。特に、特許文献１〜８のかつらの止着構造は、かつらを着脱する度に、かつらベースの周縁部がダメージを受けるので、かつらベースの周縁部が損傷してしまう前に、別の止着構造に付け替えることを望むであろう。
【００１２】
そこで、本発明者は、従来のかつらの各種止着構造を、特許文献９の止着構造に付け替えることを試みた。その結果、特許文献９の止着構造は、止着部材２０を挿通することが可能な間隔寸法で、取付基部を正確に固定しなければならず、取付基部の固定にある程度の精度が要求されることが判明した。取付基部の固定箇所が一つずれると、その後に形成される固定箇所もずれてしまい、止着部材２０を挿通することが可能な間隔寸法が確保できなくなってしまうので、作業者は、取付基部の固定に慎重を要する。
【００１３】
また、止着構造の付け替えには、かつらベースの周縁部を損傷させないように、従来の止着構造を取り外す作業に手間と時間が掛かるので、新規な止着構造の取り付けに手間と時間を掛けるわけにはいかない。特に、来店された顧客のかつらをその場で修繕して返却するサービスでは、可能な限り短時間で止着構造の付け替えをすることが望ましい。
【００１４】
本発明は、上述した事情に鑑みてなされたものであり、従来の自毛固定方式の止着構造と同等以上の装着感が得られ、顧客のかつらの構成及び自毛の状態に適合した止着部材の製造、止着部材のかつらへの取り付け、及びかつらの装着を容易かつ迅速に行うことができるかつら止着部材、かつら、かつらの修繕方法及びかつらの装着方法の提供を目的とする。
【００１５】
（１）上記目的を達成するために、本発明のかつら止着部材は、装着者の自毛を利用して、かつらを頭部に装着するためのかつら止着部材であって、フィルム又はシート状の部材で構成された基部と接着部とが一体を成し、前記接着部には、装着者の自毛の束を通過させることが可能な自毛引出部が形成され、前記基部は、かつらベースの裏面外周のうち、少なくとも両側部から後部に亘る範囲の全部又は一部に対応する形状を有し、前記範囲内に取り付け可能となっており、前記接着部は、前記基部が前記かつらベースに取り付けられたときに、前記基部よりも前記かつらベースの内側に向かって突出する面積を有し、前記装着者の自毛の束を前記自毛引出部から引き出した状態で、前記接着部を前記基部の方向に折り曲げて接着する構成となっている。
【００１６】
上記構成からなる本発明のかつら止着部材は、種々のかつらベースの裏面外周の形状に応じて基部を作成し、個々の顧客の自毛の状態に応じた所定の位置に接着部及び自毛引出部を形成することで、極めて容易かつ短時間で製造することができる。つまり、個々の顧客のかつらの構成、自毛の状態に適合したかつら止着部材を容易かつ迅速に製造することが可能である。
【００１７】
また、複数の接着部は、個々に基部の所定位置に形成されるので、一の接着部の位置に誤差が生じても、他の接着部の位置に悪影響を与えることがない。さらに、本発明のかつら止着部材においては、基部における接着部の形成位置が、基部の固定位置に影響を受けないので、かつらベースの裏面外周に対する基部の固定に精度が要求されない。この結果、基部又は接着部を含むかつら止着部材全体を、かつらベースの裏面外周に極めて容易かつ短時間で取り付けることが可能である。
【００１８】
これに加え、本発明のかつら止着部材は、装着者の自毛の束を前記自毛引出部から引き出した状態で、接着部を基部の方向に折り曲げて接着する構成となっているので、上述した本出願人の特許文献９のかつらと同等以上の装着感が得られる。
【００１９】
（２）好ましくは、上記（１）のかつら止着部材において、前記基部と前記接着部とが、独立したフィルム又はシート状の部材で構成され、前記接着部の一側には、前記自毛引出部が形成され、前記接着部の他側は、前記基部に取り付けられ、前記接着部の一側が、前記基部から前記かつらベースの内側に向かって突出する構成にするとよい。
【００２０】
上記構成によれば、接着部及び自毛引出部を、個々の顧客の自毛の状態に適合した位置に容易に形成することが可能となる。すなわち、自毛引出部を形成した所定形状の接着部を予め量産しておく。種々のかつらベースの裏面外周の形状に応じて基部を作成する。この基部上に、個々の顧客の自毛の状態に適合した複数の位置を特定し、これら位置に、予め量産しておいた接着部を取り付ければよい。
【００２１】
（３）好ましくは、上記（１）のかつら止着部材において、前記基部と前記接着部とが、連続するフィルム又はシート状の部材で構成された構成にしてもよい。
【００２２】
上記構成によれば、基部及び接着部を含むかつら止着部材全体を、かつらベースの裏面外周に極めて容易かつ短時間で取り付けることが可能である。
【００２３】
（４）好ましくは、上記（１）〜（３）のいずれかのかつら止着部材において、前記基部と前記接着部とを構成する面のうち、少なくとも前記接着に供される面を粗面にした構成にするとよい。
【００２４】
上記構成によれば、折り曲げた接着部どうしの間（例えば、上記（２）の構成）、又は折り曲げた接着部と基部との間（例えば、上記（３）の構成）に、より多くの接着剤を滞留させることができるとともに、間に挟まれた自毛の束を保持する摩擦力を増大させることが可能となる。この結果、かつら止着部材の自毛固定力を向上させることができる。
【００２５】
（５）好ましくは、上記（１）〜（４）のいずれかのかつら止着部材において、前記自毛引出部が、一又は複数のスリットからなる構成にするとよい。
【００２６】
上記構成によれば、一又は複数のスリットから装着者の自毛の束を引き出すことで、スリット自体が自毛の束を捕捉してかつらの固定に寄与する効果がある。特に、自毛の束を複数のスリットに順番に通過させることで、自毛の束と接着部とを結合させることが可能となる。
【００２７】
（６）好ましくは、上記（５）のかつら止着部材において、前記スリットの形状が、直線状又は非直線状である構成にするとよい。
【００２８】
自毛引出部としてのスリットの形状は、特に限定されるものではない。例えば、直線状のスリットは、自動又は手動により精度よく簡単に形成することができる。また、非直線状のスリットは、同じ幅の直線状のスリットと比較して、線長を長くすることができ、直線よりも自毛の束を保持しやすい形状とすることも可能である。
【００２９】
（７）好ましくは、上記（５）又は（６）のかつら止着部材において、前記自毛引出部が、前記スリットの両端に円孔を連成した構成にするとよい。
【００３０】
上記構成によれば、自毛引出部としてのスリットの強度を向上させることができる。すなわち、フィルム又はシート状の部材に形成したスリットは、装着者の自毛の束を通過させたときに両端に負担が掛かり、両端が裂けやすい。そこで、スリットの両端に円孔を連成することで、自毛の束を通過させたときにスリットの両端に掛かる負担を各円孔により分散させることが可能となる。
【００３１】
（８）上記目的を達成するために、本発明のかつらは、上記（１）〜（７）のいずれかのかつら止着部材を備えたかつらであって、かつらベースの裏面外周のうち、少なくとも両側部から後部に亘る範囲の全部又は一部に、前記基部を取り付けた構成としてある。
【００３２】
上記構成からなる本発明のかつらによれば、上記（１）〜（７）のいずれかのかつら止着部材をかつらベースの裏面外周に取り付けることにより、個々の顧客の自毛の状態に適合したかつらを容易かつ迅速に製造することが可能である。また、上記（１）〜（７）のいずれかのかつら止着部材は、装着者の自毛の束を前記自毛引出部から引き出した状態で、接着部を基部の方向に折り曲げて接着する構成となっている。この結果、本発明のかつらは、上述した本出願人の特許文献９のかつらと同等以上の装着感が得られる。
【００３３】
（９）上記目的を達成するために、本発明のかつらの修繕方法は、上記（１）〜（７）のいずれか１項に記載のかつら止着部材を用いたかつらの修繕方法であって、かつらベースの裏面外周に設けられた既存のかつら止着部材を除去する工程と、かつらベースの裏面外周のうち、少なくとも両側部から後部に亘る範囲の全部又は一部に、前記基部を取り付ける工程と、を含んでいる。
【００３４】
上記構成からなる本発明のかつらの修繕方法によれば、上記（１）〜（７）のいずれかのかつら止着部材を容易かつ迅速に製造し、かつらベースの裏面外周に極めて容易かつ短時間で取り付けることができる。この結果、例えば、来店された顧客のかつらをその場で修繕して返却するサービスにおいて、既存のかつら止着部材を、上記（１）〜（７）のいずれかのかつら止着部材に付け替えることが現実的になる。既存のかつら止着部材を除去する手間と時間は、既存のかつら止着部材の構成に依存するが、本発明のかつらの修繕方法によれば、付け替えに要する総合的な手間と時間を確実に削減することが可能である。これにより、従来のかつら止着部材を新規なかつら止着部材に付け替えたいというユーザのニーズに応えることができる。
【００３５】
（１０）上記目的を達成するために、本発明のかつらの装着方法は、上記（８）のかつら、又は上記（９）のかつらの修繕方法によって修繕したかつらの装着方法であって、前記かつらを装着者の頭部に載置する工程と、前記かつらベースの外周部分を捲り、前記装着者の自毛の束を前記自毛引出部から引き出す工程と、前記接着部を前記基部の方向に折り曲げて接着する工程と、を含んでいる。
【００３６】
上記構成からなる本発明のかつらの装着方法によれば、かつらを装着者の頭部に載置した後、接着部の数に応じて、装着者の自毛の束を自毛引出部から引き出す工程、接着部を基部の方向に折り曲げて接着する工程を数回繰り返すだけで、かつらの止着が完了する。この結果、例えば、来店された顧客のかつらをその場で修繕して返却するサービスにおいて、かつら止着部材の付け替え後に行われる、かつらの装着に要する手間と時間をも削減することが可能となる。
【発明の効果】
【００３７】
本発明のかつら止着部材、かつら、かつらの修繕方法及びかつらの装着方法によれば、従来の自毛固定方式の止着構造と同等以上の装着感が得られ、個々の顧客のかつらの構成及び自毛の状態に適合した止着部材の製造、止着部材のかつらへの取り付け、及びかつらの装着を容易かつ迅速に行うことができる。
【図面の簡単な説明】
【００３８】
【図１】本発明の第１実施形態に係るかつら止着部材を含むかつらの分解状態を示す平面図である。
【図２】上記かつらの組立状態を示す裏面から見た平面図である。
【図３】図３（ａ）は、上記かつら止着部材を構成する接着部を示す平面図である。図３（ｂ）は、図３（ａ）のＡ−Ａ線断面図である。
【図４】上記かつらの装着方法の工程を示す概略図である。図４（ａ）は、上記かつらを装着者の頭部に載置した状態を示す。図４（ｂ）は、上記かつらのかつらベースの外周部分を捲った状態を示す。
【図５】上記かつらの装着方法の工程を示す概略図であり、上記接着部の自毛引出部に自毛引き出し用のスティックを挿入した状態を示す。
【図６】上記かつらの装着方法の工程を示す概略図であり、上記自毛引出部から自毛の束を引き出した状態を示す。
【図７】上記かつらの装着方法の工程を示す概略図であり、上記接着部を接着し、上記自毛引出部から引き出した自毛の束を挟んで固定した状態を示す。
【図８】図８（ａ）〜（ｈ）は、接着部に形成される自毛引出部の変更例を示す平面図である。
【図９】図９（ａ）は、本発明の第２実施形態に係るかつら止着部材を示す平面図である。図９（ｂ）は、図９（ａ）のＢ−Ｂ線断面図である。
【図１０】本発明の第３実施形態に係るかつら止着部材を示す平面図である。
【発明を実施するための形態】
【００３９】
１．第１実施形態
以下、本発明の第１実施形態に係るかつら止着部材、かつら、かつらの修繕方法及びかつらの装着方法について、図面を参照しつつ説明する。
【００４０】
＜全体構成＞
図１及び図２において、本実施形態のかつら１は、主として、ネット状部材からなるかつらベース１０に、人工毛又は人毛である毛髪１１を結着し、表面側に引き出した構成となっている。かつらベース１０の前部には、装着者の額の生え際に対応する人工皮膚１２が配設してある。
【００４１】
また、かつらベース１０の裏面外周のうち、前部を除く両側部から後部に亘る範囲には、かつら止着部材２０が取り付けてある。かつら止着部材２０は、かつらベース１０の外周縁の形状に対応する帯状の基部２１と、この基部２１上に間隔をおいて取り付けた複数の接着部２２、２２、２２・・・とで構成されている。
【００４２】
＜かつらベース＞
本実施形態のかつらベース１０は、装着者の頭部に合わせた椀状のネット状部材で構成してある。ネット状部材の材料としては、成型性及び耐熱性等に優れたナイロン、ポリエステル、アクリルなどの合成樹脂が好ましい。但し、綿、麻、絹等の天然繊維からなるネット状部材を用いてもよい。
【００４３】
かつらベース１０を構成するネット状部材の色は、これに植設する毛髪１１の色と近似した黒色、茶色又は白色などにするとよい。これにより、かつらベース１０に結着した毛髪１１の結び目が目立たなくなる効果がある。また、かつらベース１０を構成するネット状部材のうち、少なくとも人工皮膚１２に対応する箇所の色を肌色にしてもよい。
【００４４】
＜毛髪＞
毛髪１１は、人工毛又は人毛のいずれを用いてもよい。人工毛の素材としては、例えば、ポリエステル、ナイロン、アクリル又は塩化ビニル系の合成繊維が用いられる。毛髪１１の太さは、例えば、細い毛髪として約０．０３又は０．０４ｍｍ程度、太い毛髪として約０．０５〜０．１０ｍｍ程度のものが用いられる。また、毛髪１１の強度の指標としては、例えば、かつらベース１０に結着する前の直線状態のときの引っ張り強度で約０．８０Ｎ以上、かつらベース１０に結着した状態の引っ張り強度で約０．６０Ｎ以上のものが好ましい。
【００４５】
＜人工皮膚＞
人工皮膚１２は、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）により構成してある。
【００４６】
人工皮膚１２は、その周縁部をかつらベース１０に縫着してあり、毛髪１１の生え際の部分で地肌のように見える役割を果たす。人工皮膚１２に、合成樹脂製のフィルム又はシートを用いた場合は、人間の頭皮の質感をリアルに再現することができ、見た目がより自然となる。一方、合成繊維又は天然繊維の織布を用いた場合は、かつら１の通気性が良好となり、耐久性が向上する利点がある。
【００４７】
＜かつら止着部材＞
本実施形態のかつら止着部材２０は、独立したフィルム又はシート状の部材で構成された単一の基部２１と、複数の接着部２２、２２、２２・・・とからなっている。
【００４８】
＜＜基部＞＞
上述のとおり、基部２１は、かつらベース１０の裏面外周のうち、前部を除く両側部から後部に亘る範囲の全部に対応する形状となっている。本実施形態の基部２１は、その外周縁がかつらベース１０の外周縁にほぼ一致しており、その内周縁がかつらベース１０の外周縁を縮小した相似形となっている。
【００４９】
基部２１の形状は、かつらベース１０の裏面外周のうち、少なくとも両側部から後部に亘る範囲の全部又は一部に対応する形状であれば、特に限定されないが、基部２１の外周縁が、かつらベース１０の外周縁から外側にはみ出さない形状が好ましい。基部２１の内周縁の形状は、特に限定されるものではなく、かつらベース１０の補強や接着部２２の取付面積などを考慮して、種々の形状にデザインすることができる。
【００５０】
基部２１を構成するフィルム又はシート状の部材には、かつら１の固定手段としての耐久性と接着性、及び巻き返しや折り曲げを容易に行える程度の柔軟性を有するものであれば、合成又は天然のあらゆるフィルム又はシート状の材料を用いることが可能である。
【００５１】
基部２１を構成するフィルム又はシート状の部材として、例えば、かつらベース１０に植設する毛髪１１の色と近似した黒色、茶色又は白色などに着色されたフィルム又はシート状の材料を用いるとよい。この場合のフィルム又はシート状の材料には、例えば、合成繊維又は天然繊維からなる織布、合成樹脂フィルム、合成樹脂シートなどを適用できる。また、基部２１を構成するフィルム又はシート状の部材は、外部からの光の反射が少ないものが好ましい。例えば、基部２１は、透明樹脂フィルム層と、黒色、茶色又は白色などに着色されたネット状フィルム層との積層体で構成することができる。この場合、透明樹脂フィルム層の両面のうち、かつらベース１０と対向する面に、ネット状フィルム層を積層する。この構成により、ネット状フィルム層の粗面によって、透明樹脂フィルム層の外部からの光の反射を抑えることができる。また、ネット状フィルム層が、透明樹脂フィルム層を補強する役割を果たし、基部２１の耐久性を向上させることができる。
【００５２】
＜＜接着部＞＞
上述のとおり、複数の接着部２２、２２、２２・・・は、それぞれ基部２１と独立したフィルム又はシート状の部材で構成してある。本実施形態では、複数の接着部２２、２２、２２・・・を、基部２１上にほぼ等間隔をおいて取り付けてあるが、これに限定されるものではない。例えば、本実施形態のかつら１が、不特定多数の顧客を対象とした既製品である場合は、図１及び図２に示すように、基部２１の全周に亘って、なるべく数多くの接着部２２をほぼ等間隔に取り付けた構成にするとよい。このような構成とした場合は、いずれかの接着部２２を選択的に使用することで、不特定多数の顧客の自毛の状態に適合することが可能となる。一方、本実施形態のかつら１が、特定の顧客を対象としたオーダーメイド製品である場合は、特定の顧客の自毛の状態に適合する位置に接着部２２を取り付ければよい。このような構成とした場合は、固定に用いる自毛の変更を予想して、予備の接着部２２を基部２１に取り付けておくことが好ましい。
【００５３】
次に、本実施形態の接着部２２の構成について、図３（ａ）、（ｂ）を参照しつつ詳述する。これら図面において、本実施形態の接着部２２は、透明樹脂フィルム層２２ａにネット状フィルム層２２ｂを積層した二層構造としてある。ネット状フィルム層２２ｂは、透明樹脂フィルム層２２ａのうち、基部２１と対向する面の反対側の面に積層してある。接着部２２のネット状フィルム層２２ｂを積層した面は、装着者の自毛の束の接着に供される。
【００５４】
図３（ａ）に示すように、接着部２２の中央には、折り目２２ｃが形成してある。接着部２２は、折り目２２ｃを境にして、図中の下半分が基部２１に取り付けられ、図中の上半分が基部２１からかつらベース１０の内側に向かって突出する状態となる（図１及び図２を参照）。接着部２２の図中における折り目２２ｃの上方には、自毛引出部２３が形成してある。本実施形態の自毛引出部２３は、直線状のスリット２３ａの両端に円孔２３ｂ、２３ｂを連成した構成となっている。このような構成の接着部２２は、装着者の自毛の束を自毛引出部２３から引き出し、この状態で、折り目２２ｃを境にして、図中の上半分を下半分の方向（基部２１の方向）に折り曲げ、ネット状フィルム層２２ｂを積層した面どうしを接着する。
【００５５】
ここで、本実施形態の接着部２２の形状及び寸法について、図３（ａ）を参照しつつ説明する。但し、以下に説明する形状及び寸法は一例にすぎず、本願発明における接着部は、以下に説明する形状及び寸法に限定されるものではない。
【００５６】
本実施形態の接着部２２の全体は、図中の縦Ｈ１が２０ｍｍ、横Ｈ２が２５ｍｍの略長方形状となっている。接着部２２の図中の上下二辺は、弧状の曲線となって上下方向に膨らんでいる。
【００５７】
折り目２２ｃは、接着部２２の縦Ｈ１の中心である１０ｍｍのところに位置している。接着部２２は、折り目２２ｃを境にして上下対称の輪郭を有する。折り目２２ｃを境にして接着部２２を二つ折りにすると、接着部２２の上半分と下半分とは、互いの輪郭が一致した状態で重なり合う。縦Ｈ１の半分は、直線部分Ｈ３と曲線部分Ｈ４とが連続する。直線部分Ｈ３は８ｍｍ、曲線部分Ｈ４は２ｍｍとなっている。接着部２２を基部２１に取り付けたとき、接着部２２の下半分の曲線部分Ｈ４は、基部２１及びかつらベース１０の外周縁を越えて、外側に２ｍｍだけ突出する（図１及び図２を参照）。このような構成により、小さな接着部２２の接着面積が少しでも広くなるようにしている。また、接着部２２の曲線部分Ｈ４を、かつらベース１０の外周縁の外側に少しだけ突出させることにより、かつら１を装着者の頭部から取り外すときに、二つ折りに接着した接着部２２を指で開かせやすくなる。
【００５８】
自毛引出部２３は、接着部２２の上半分における折り目２２ｃから２〜３ｍｍ離れた位置Ｈ５に形成してある。自毛引出部２３の形成位置Ｈ５が折り目２２ｃに近いほど、二つ折りに接着した接着部２２に挟み込まれる自毛の束が長くなり、自毛固定力が向上する。自毛引出部２３は、折り目２２ｃ上（Ｈ５＝０ｍｍ）に形成してもよい。自毛引出部２３を構成する直線状のスリット２３ａの長さＨ６は７ｍｍとしてあり、その両端には、それぞれ円孔２３ｂ、２３ｂが連成されている。
【００５９】
＜かつらの製造方法＞
本実施形態のかつら１が、不特定多数の顧客を対象とした既製品である場合は、予め定められた形状及び寸法の基部２１、接着部２２を量産する。次いで、かつらベース１０の裏面外周のうち、前部を除く両側部から後部に亘る範囲に取り付ける。その後、基部２１上に複数の接着部２２、２２、２２・・・をほぼ等間隔に取り付ける。
【００６０】
上述した手順の他に、まず、基部２１上に複数の接着部２２、２２、２２・・・を取り付けて、図１に示すかつら止着部材２０を完成させる。その後、かつら止着部材２０の基部２１を、かつらベース１０の裏面外周のうち、前部を除く両側部から後部に亘る範囲に取り付けてもよい。
【００６１】
本実施形態のかつら１が、特定の顧客を対象としたオーダーメイド製品である場合は、基部２１に接着部２２を取り付ける前に、特定の顧客の自毛の状態を診断し、かつら１の固定に利用可能な自毛が生えている位置、すなわち、自毛の状態に適合する位置を特定する。その後、基部２１上の自毛の状態に適合する位置に接着部２２を取り付ける。このとき、固定に用いる自毛の変更を予想して、予備の接着部２２を基部２１に取り付けてもよい。
【００６２】
基部２１及び接着部２２を取り付ける手段としては、例えば、縫い糸による縫着、又は接着剤による接着を適用することができるが、比較的に細く丈夫な糸による縫着が好ましい。基部２１及び接着部２２を縫着する糸を解くことで、基部２１やかつらベース１０の外周を傷めずに、既存の接着部２２を新しい接着部２２に交換できるからである。
【００６３】
＜かつらの修繕方法＞
かつら１が、特定の顧客の所有物であり、図示しない従来のかつら止着部材を備えたものである場合は、既存のかつら止着部材を取り外す作業を行う。そして、かつらベース１０の外周縁の輪郭をフィルム又はシート状の部材にトレースし、このかつらベース１０の裏面外周に適合する形状の基部２１を製造する。接着部２２は、図３に示す構成のものを予め量産して使用するが、接着部２２の形状や大きさが、かつらベース１０の裏面外周に適合しない場合は、フィルム又はシート状の部材を裁断して、かつらベース１０の裏面外周に適合する形状、大きさの他の接着部を製造する。
【００６４】
次いで、特定の顧客の自毛の状態を診断し、かつら１の固定に利用可能な自毛が生えている位置、すなわち、自毛の状態に適合する位置を特定する。その後、基部２１上の自毛の状態に適合する位置に接着部２２を取り付ける。このとき、固定に用いる自毛の変更を予想して、予備の接着部２２を基部２１に取り付けてもよい。
【００６５】
上述したかつらの製造方法と同様に、基部２１をかつらベース１０の裏面外周に取り付けた後に、基部２１上の自毛の状態に適合する位置に接着部２２を取り付けてもよい。その他の手順として、基部２１上の自毛の状態に適合する位置に接着部２２を取り付けて、かつら止着部材２０を完成させた後に、このかつら止着部材２０の基部２１をかつらベース１０の裏面外周に取り付けてもよい。基部２１及び接着部２２を取り付ける手段としては、例えば、縫い糸による縫着、又は接着剤による接着を適用することができるが、比較的に細く丈夫な糸による縫着が好ましい。
【００６６】
＜かつらの装着方法＞
次に、本実施形態のかつらの装着方法について、図４〜図７を参照しつつ説明する。なお、図面を分かりやすくするために、図１及び図２に示したかつら１の毛髪１１の図示は省略する。
【００６７】
まず、図４（ａ）に示すように、本実施形態のかつら１を装着者の頭部に載置する。次いで、図４（ｂ）に示すように、かつらベース１０の接着部２２、２２、２２・・・に対応する箇所を順番に捲って、当該箇所の接着部２２を外部に露出させる。
【００６８】
次いで、図５に示すように、先端が鉤状に曲がったスティックＳを、接着部２２に形成した自毛引出部２３に挿通し、図６に示すように、装着者の自毛１００の束を自毛引出部２３から引き出す。
【００６９】
ここで、図５に示す状態において、自毛引出部２３から引き出す自毛１００は、かつらベース１０を捲っていない状態（図４を参照）にしたときに、自毛引出部２３の近傍に生えている自毛１００を選択する。すなわち、自毛引出部２３から自毛１００を引き出したときに、当該自毛１００の根本１０１（図５の点線で囲った部分を参照）が、自毛引出部２３の近傍に位置するように止着すると、かつら１を安定して固定することができる。固定に最適な位置の自毛１００の選択は、接着部２２の折り目２２ｃの位置を基準にして行えばよい。つまり、接着部２２の折り目２２ｃと対応する位置に生えている自毛１００を選択して、自毛引出部２３から引き出せばよい。このように、本実施形態のかつら止着部材２０によれば、折り目２２ｃの位置を基準にして、固定に最適な位置の自毛１００を容易に選択することができる。
【００７０】
なお、図６に示す状態において、自毛引出部２３から引き出す自毛１００の量が多すぎると、頭皮に過負荷が掛かる。逆に、自毛引出部２３から引き出す自毛１００の量が少なすぎると、かつら１を安定して固定できなくなる。このような観点から、自毛１００の適度な引き出し量を決定する。
【００７１】
次いで、図７に示すように、自毛引出部２３から適量の自毛１００の束を引き出した後は、この状態を維持しつつ、接着部２２の自由端側である半分（自毛引出部２３を形成した半分）を、折り目２２ｃに従って、基部２１の方向に二つ折りにして接着する。この接着は、例えば、接着剤又は両面テープのいずれによるものでもよい。接着剤と両面テープを併用してもかまわない。
【００７２】
ここで、自毛１００の束の固定に用いる接着剤としては、従来から用いられているラテックス系、シリコーン系、エポキシ系又はポリウレタン系等の毛髪用接着剤を適用することが可能であるが、自毛１００を痛めない無溶剤系、水系の接着剤を用いることが好ましい。
【００７３】
以上のような手順を繰り返し、本実施形態のかつら１に設けた所定の接着部２２、２２、２２・・・を自毛１００に固定することで、本かつら１の頭部への装着は完了する。なお、装着者の自毛の状態（例えば、健康状態の良好な自毛が豊富に生えている場合など）によっては、図１及び図２に示す全ての接着部２２、２２、２２・・・を自毛１００に固定してもよい。
【００７４】
＜自毛引出部の変更例＞
本発明のかつら止着部材２０を構成する自毛引出部は、図３（ａ）に示す構成に限定されるものではない。自毛引出部の変更例を、図８（ａ）〜（ｈ）に例示する。
【００７５】
図８（ａ）に示すように、自毛引出部２３Ａは、図３（ａ）に示す円孔２３ｂを省略して一本の直線状のスリットにしてもよい。また、直線状に限らず、例えば、図８（ｂ）に示すような鋸刃状の自毛引出部２３Ｂ、又は図８（ｃ）に示すような山形状の自毛引出部２３Ｃやこれを上下逆にした谷形状としてもよい。
【００７６】
自毛引出部の本数は、一本に限定されるものではない。例えば、図８（ｄ）に示すような二本の直線状の自毛引出部２３Ｄを平行に配置した構成、図８（ｅ）に示すような二本の鋸刃状の自毛引出部２３Ｅを平行に配置した構成、又は図８（ｆ）に示すような二本の山形状の自毛引出部２３Ｆを平行に配置した構成とすることができる。
【００７７】
さらに、自毛引出部は、線状のものに限定されない。例えば、図８（ｇ）に示すような複数の円孔を横一列に配置した構成の自毛引出部２３Ｇ、又は図８（ｈ）に示すような複数の円孔を横二列以上に配置した構成の自毛引出部２３Ｈとすることも可能である。
【００７８】
２．第２実施形態
本発明の第２実施形態に係るかつら止着部材を、図９（ａ）、（ｂ）に示す。図９（ａ）において、本実施形態のかつら止着部材３０は、基部３１と、複数の接着部３２、３２、３２・・・とを、連続するフィルム又はシート状の部材で一体的に構成してある。
【００７９】
図９（ｂ）に示すように、かつら止着部材３０の全体は、透明樹脂フィルム層３０ａの上にネット状フィルム層３０ｂを積層した二層構造となっている。基部３１と、複数の接着部３２、３２、３２・・・との間には、図９（ａ）中の点線で示す折り目３２ｃが形成してある。
【００８０】
図９（ａ）に示すように、接着部３２を除く、折り目３２ｃを含む基部３１の形状は、図１及び図２に示すかつらベース１０の外周縁の輪郭に対応している。このような基部３１は、図９（ｂ）に示す透明樹脂フィルム層３０ａを、かつらベース１０の裏面外周に対向させた状態で取り付ける。基部３１をかつらベース１０の裏面外周に取り付けると、複数の接着部３２、３２、３２・・・が、基部３１よりもかつらベース１０の内側に向かって突出する。
【００８１】
上述した第１実施形態と同様に、複数の接着部３２、３２、３２・・・には、それぞれ自毛引出部３３、３３、３３・・・が形成してある。装着者の頭部にかつらを装着する場合は、自毛の束を自毛引出部３３から引き出し、この状態を維持しつつ、接着部３２を、折り目３２ｃに従って、基部３１の方向に折り曲げて接着する。固定される自毛の束は、基部３１と接着部３２とを構成するネット状フィルム層３０ｂ、３０ｂの間に挟まれる。
【００８２】
３．第３実施形態
上述した第１及び第２実施形態に係るかつら止着部材２０、３０の基部２１、３１は、図１及び図２に示すかつらベース１０の裏面外周のうち、両側部から後部に亘る範囲の全部に対応する形状を有しているが、この構成に限定されるものではない。
【００８３】
本発明の第３実施形態に係るかつら止着部材を、図１０に示す。本実施形態に係るかつら止着部材４０、５０は、図１及び図２に示すかつらベース１０の裏面外周のうち、両側部から後部に亘る範囲の一部に対応する形状を有する基部４１、５１を備えている。
【００８４】
図１０において、かつら止着部材４０は、かつらベース１０の裏面外周のうち、側部の一部に対応する形状の基部４１を備える。この基部４１には、単一の接着部４２が一体的に連成してある。この接着部４２には、図３（ａ）に示すものと同じ構成の自毛引出部４３が形成してある。
【００８５】
一方、かつら止着部材５０は、かつらベース１０の裏面外周のうち、側部の全部に対応する形状の基部５１を備える。この基部５１には、三つの接着部５２、５２、５２が一体的に形成してある。これら接着部５２、５２、５２には、図３（ａ）に示すものと同じ構成の自毛引出部５３、５３、５３がそれぞれ形成してある。
【００８６】
ここで、かつらベース１０の裏面外周のうちの一部、例えば、後部には、従来の短期装着型のかつらに用いられている反転式のストッパー（ヘアピン）６０、６０を取り付けてもよい。かつらベース１０の裏面外周のうちの一部に、装着者自身によって着脱可能な止着部材（ストッパー６０に限らない）を取り付けることにより、装着者自身が、かつらベース１０の一部を捲って、頭部を換気したり、頭部を掻いたりするといったセルフメンテナンスを行うことができる。
【００８７】
４．その他の変更
本発明のかつら止着部材、かつら、かつらの修繕方法及びかつらの装着方法は、上述した実施形態に限定されるものではない。例えば、上述した第１〜第３実施形態では、装着者の頭部の前部、両側部及び後部を覆う全体かつら（図１及び図２のかつら１を参照）を例示して説明したが、本発明のかつら止着部材は、全体かつらに限らず、例えば、頭部のつむじ付近を覆う部分かつらに適用することも可能である。装着者の頭部のうちの前部を覆わないかつら、すなわち、かつらベースの生え際に対応する位置に人工皮膚（図１及び図２の人工皮膚２１を参照）を有しないかつらの場合は、かつらベースの裏面外周のうちの前部に、本発明のかつら止着部材を設けてもよい。かつらベースの前部に人工皮膚を有しない場合は、かつら止着部材を設けても、前部の外観を損なうことがないからである。
【００８８】
５．作用効果
上述した第１〜第３実施形態に係るかつら止着部材２０、３０、４０、５０は、種々のかつらベースの裏面外周の形状に応じて基部２１、３１、４１、５１を作成し、個々の顧客の自毛の状態に応じた所定の位置に接着部２２、３２、４２、５２及び自毛引出部２３、３３、４３、５３を形成することで、極めて容易かつ短時間で製造することができる。つまり、個々の顧客のかつらの構成、自毛の状態に適合したかつら止着部材２０、３０、４０、５０を容易かつ迅速に製造することが可能である。
【００８９】
また、本実施形態のかつら止着部材２０、３０、４０、５０における複数の接着部２２、３２、５２は、個々に基部２１、３１、５１の所定位置に形成されるので、一の接着部２２、３２、５２の位置に誤差が生じても、他の接着部２２、３２、５２の位置に悪影響を与えることがない。さらに、本実施形態のかつら止着部材２０、３０、５０においては、基部２１、３１、５１における接着部２２、３２、５２の形成位置が、基部２１、３１、５１の固定位置に影響を受けないので、かつらベースの裏面外周に対する基部２１、３１、５１の固定に精度が要求されない。この結果、基部２１、３１、５１又は接着部２２、３２、５２を含むかつら止着部材２０、３０、５０全体を、かつらベースの裏面外周に極めて容易かつ短時間で取り付けることが可能である。
【００９０】
これに加え、本実施形態のかつら止着部材２０、３０、４０、５０は、装着者の自毛の束を自毛引出部２３、３３、４３、５３から引き出した状態で、接着部２２、３２、４２、５２を基部２１、３１、４１、５１の方向に折り曲げて接着する構成となっているので、上述した本出願人の特許文献９のかつらと同等以上の装着感が得られる。
【００９１】
上述した第１実施形態に係るかつら止着部材２０によれば、基部２１と接着部２２とを、独立したフィルム又はシート状の部材で構成してあるので、接着部２２及び自毛引出部２３を、個々の顧客の自毛の状態に適合した位置に容易に形成することが可能となる。すなわち、自毛引出部２３を形成した所定形状の接着部２２を予め量産しておく。種々のかつらベースの裏面外周の形状に応じて基部２１を作成する。この基部２１上に、個々の顧客の自毛の状態に適合した複数の位置を特定し、これら位置に、予め量産しておいた接着部２２を取り付ければよい。
【００９２】
上述した第２実施形態に係るかつら止着部材３０によれば、基部３１と接着部３２とを、連続するフィルム又はシート状の部材で構成してあるので、基部３１及び接着部３２を含むかつら止着部材３０全体を、かつらベースの裏面外周に極めて容易かつ短時間で取り付けることが可能である。
【００９３】
上述した第１〜第３実施形態に係るかつら止着部材２０、３０、４０、５０は、基部２１、３１、４１、５１と接着部２２、３２、４２、５２とを構成する面のうち、少なくとも接着に供される面を、ネット状フィルム層２０ｂ、３０ｂによって粗面にした構成としてある。このような構成によれば、折り曲げた接着部２２どうしの間（第１実施形態）、又は折り曲げた接着部３２、４２、５２と基部３１、４１、５１との間（第２〜第３実施形態）に、より多くの接着剤を滞留させることができるとともに、間に挟まれた自毛の束を保持する摩擦力を増大させることが可能となる。この結果、かつら止着部材２０、３０、４０、５０の自毛固定力を向上させることができる。
【００９４】
上述した第１〜第３実施形態に係るかつら止着部材２０、３０、４０、５０は、自毛引出部２３、３３、４３、５３が、一又は複数のスリットからなる構成としてある。このような構成によれば、一又は複数のスリットから装着者の自毛の束を引き出すことで、スリット自体が自毛の束を捕捉してかつらの固定に寄与する効果がある。特に、図８（ｄ）〜（ｆ）に示すように、自毛の束を複数のスリットに順番に通過させることで、自毛の束と接着部２２とを結合させることが可能となる。
【００９５】
ここで、自毛引出部２３、３３、４３、５３としてのスリットの形状は、特に限定されるものではない。例えば、図８（ａ）、（ｄ）に示すような直線状のスリットは、自動又は手動により精度よく簡単に形成することができる。また、図８（ｂ）、（ｃ）、（ｅ）、（ｆ）に示すような非直線状のスリットは、同じ幅の直線状のスリットと比較して、線長を長くすることができ、直線よりも自毛の束を保持しやすい形状とすることも可能である。
【００９６】
また、図３（ａ）に示すように、自毛引出部２３が、スリット２３ａの両端に円孔２３ｂ、２３ｂを連成した構成にした場合は、自毛引出部２３としてのスリット２３ａの強度を向上させることができる。すなわち、フィルム又はシート状の部材に形成したスリット２３ａは、装着者の自毛の束を通過させたときに両端に負担が掛かり、両端が裂けやすい。そこで、スリット２３ａの両端に円孔を連成することで、自毛の束を通過させたときにスリット２３ａの両端に掛かる負担を各円孔により分散させることが可能となる。
【００９７】
上述した本実施形態のかつらによれば、上述した第１〜第３実施形態に係るかつら止着部材２０、３０、４０、５０のいずれかを、かつらベースの裏面外周に取り付けることにより、個々の顧客の自毛の状態に適合したかつらを容易かつ迅速に製造することが可能である。また、上述した第１〜第３実施形態に係るかつら止着部材２０、３０、４０、５０は、いずれも装着者の自毛の束を自毛引出部２３、３３、４３、５３から引き出した状態で、接着部２２、３２、４２、５２を基部２１、３１、４１、５１の方向に折り曲げて接着する構成となっている。この結果、本実施形態のかつらは、上述した本出願人の特許文献９のかつらと同等以上の装着感が得られる。
【００９８】
上述した本実施形態のかつらの修繕方法によれば、上述した第１〜第３実施形態に係るかつら止着部材２０、３０、４０、５０のいずれかを、容易かつ迅速に製造し、かつらベースの裏面外周に極めて容易かつ短時間で取り付けることができる。この結果、例えば、来店された顧客のかつらをその場で修繕して返却するサービスにおいて、既存のかつら止着部材を、上述した第１〜第３実施形態に係るかつら止着部材２０、３０、４０、５０に付け替えることが現実的になる。既存のかつら止着部材を除去する手間と時間は、既存のかつら止着部材の構成に依存するが、本発明のかつらの修繕方法によれば、付け替えに要する総合的な手間と時間を確実に削減することが可能である。これにより、従来のかつら止着部材を新規なかつら止着部材２０、３０、４０、５０に付け替えたいというユーザのニーズに応えることができる。
【００９９】
上述した本実施形態のかつらの装着方法によれば、かつらを装着者の頭部に載置した後、接着部２２、３２、４２、５２の数に応じて、装着者の自毛の束を自毛引出部２３、３３、４３、５３から引き出す工程、接着部２２、３２、４２、５２を基部２１、３１、４１、５１の方向に折り曲げて接着する工程を数回繰り返すだけで、かつらの止着が完了する。この結果、例えば、来店された顧客のかつらをその場で修繕して返却するサービスにおいて、かつら止着部材２０、３０、４０、５０の付け替え後に行われる、かつらの装着に要する手間と時間をも削減することが可能となる。
【符号の説明】
【０１００】
１  かつら
１０  かつらベース
１１  毛髪
１２  人工皮膚
２０、３０、４０、５０  かつら止着部材
２１、３１、４１、５１  基部
２２、３２、４２、５２  接着部
２２ａ、３０ａ  透明樹脂フィルム層
２２ｂ、３０ｂ  ネット状フィルム層
２２ｃ  折り目
２３、２３Ａ〜Ｈ、３３、４３、５３  自毛引出部
２３ａ  スリット
２３ｂ  円孔
６０  ストッパー
１００  自毛
Ｓ  スティック
【図１】
0006486036.tif 000002
【図２】
0006486036.tif 000003
【図３】
0006486036.tif 000004
【図４】
0006486036.tif 000005
【図５】
0006486036.tif 000006
【図６】
0006486036.tif 000007
【図７】
0006486036.tif 000008
【図８】
0006486036.tif 000009
【図９】
0006486036.tif 000010
【図１０】
0006486036.tif 000011